(57)【要約】【課題】  各入居者が持つキーの情報を所定の位置に設置したキー読取装置で読み取り、その情報を基にエレベータカゴを一連の運転パターンで運転する運転制御システムを提供する。【解決手段】  エレベータ運転制御システム１は、エレベータ装置５を運転制御し、基準階のエレベータ乗場操作盤内あるいはその近辺に第２のキー読取装置が設けられていて、キー読取コントローラは、第２のキー読取装置で読み取ったキー情報を取込み、キー情報データベースに照合し、当該照合の結果決定された決定階へ運転するよう運転指令をだせる。エレベータ運転制御装置５５は、キー読取コントローラ３４からの運転指令あるいは住宅用インターフォン３２からの解錠指令を基に、基準階でエレベータカゴのドアを開閉し、決定階あるいは解錠指令階へエレベータカゴを移動させ、決定階あるいは解錠指令階でのみエレベータカゴのドアを開閉する。【選択図】        図１
2006160425.tif 000002
【特許請求の範囲】
【請求項１】
マンション等の共同住宅の共同玄関に設けられたロビーインターフォンと、
当該共同住宅の各住居に設けられ、解錠指令を出せる解錠操作ボタンを有し、前記ロビーインターフォンとの通話が可能な住宅用インターフォンと、
前記ロビーインターフォンの近くに設けられた第１のキー読取装置と、
前記第１のキー読取装置から読み取られたキー読取情報から解錠指令を出すことができるキー読取コントローラと、
当該共同住宅の共同玄関から共同住宅内部の共同通路へ続く部分に設けられたオートドアと、
前記キー読取コントローラあるいは住宅用インターフォンからの解錠指令により当該オートドアを一定時間開放させるドア制御装置と、を備えた共同住宅において、
前記共同住宅には各階への搬送サービスを提供するエレベータ装置と、
基準階のエレベータ乗り場操作盤内あるいはその近辺にある第２のキー読取装置と、
前記第１のキー読取装置及び前記第２のキー読取装置と接続可能であり、キー情報を蓄積しているキー情報データベースと、を備え、
前記キー読取コントローラは、前記第２のキー読取装置で読み取ったキー情報を取り込み、前記キー情報データベースに照合し、当該照合の結果により、決定された決定階へ運転するよう運転指令を出し、
前記キー読取コントローラからの運転指令あるいは前記住宅用インターフォンからの解錠指令を基に、基準階でエレベータカゴのドアを開閉し、決定階あるいは解錠指令階へエレベータカゴを移動させ、決定階あるいは解錠指令階でエレベータカゴのドアを開閉し、さらにエレベータカゴを基準階に戻す一連の運転パターンで運転制御するエレベータ運転制御装置を備えたことを特徴とするエレベータ運転制御システム。
【請求項２】
前記エレベータ運転制御システムは、パニックオープン信号を受信している間は、一連の運転パターンによる運転制御を解除して通常のエレベータ動作をし、パニックオープン信号を受信しなくなると、再び、一連の運転パターンによる運転制御に戻るようになっていることを特徴とする請求項１記載のエレベータ運転制御システム。
【請求項３】
前記エレベータ運転制御システムは、各階のエレベータ乗り場操作盤の下方呼びボタン及びエレベータカゴ内の操作盤の１階ボタンのみを受け付け、当該ボタンによるサービスを提供することを特徴とする請求項１記載のエレベータ運転制御システム。
【発明の詳細な説明】
【技術分野】
【０００１】
この発明はマンション内に設けられたエレベータ装置を一連の運転パターンで運転制御できるエレベータ運転制御システムに係り、特に各入居者が持つキーの情報を、所定の位置に設置したキー読取装置で読み取り、当該読み取った情報を基にエレベータカゴを一連の運転パターンで運転するエレベータ運転制御システムに関するものである。
【背景技術】
【０００２】
近年、マンション等の共同住宅においては、防犯のため、オートロックなどの共同住宅システムを採用している。
この共同住宅システムは、マンションの共同玄関に設けられたロビーインターフォンと、当該マンションの各住居に設けられ、解錠指令を出せる解錠操作ボタンを有し、前記ロビーインターフォンとの通話が可能な住宅用インターフォンと、前記ロビーインターフォンの近くに設けられたキー読取装置と、前記キー読取装置から読み取られたキー読取情報から解錠指令を出すことができるキー読取コントローラと、前記マンションの共同玄関から前記マンション内部の共同通路へ続く部分に設けられたオートドアと、前記キー読取コントローラあるいは住宅用インターフォンからの解錠指令により当該オートドアを一定時間開放させるドア制御装置とを備えたものが知られている。
【０００３】
また、このようなマンションにおいては、通常、エレベータ装置が設置されているが、基準階乗り場に乗り場ボタンに加えて解錠装置を備え、通常は、乗り場ボタンを無効にして解錠装置の解錠操作によって呼びを登録するようにし、この解錠装置を各住居のカード式鍵で解錠操作できるエレベータ装置が提案されている（特許文献１参照）。
【特許文献１】特開２００４−４３０４２
【０００４】
このようなエレベータ装置によれば、通常は、乗り場ボタンが無効になっているため、カード式鍵のない者がエレベータを利用することができず、また、当該マンションに居住する者はカード式鍵によりエレベータカゴを呼び出して利用することができ、防犯に考慮し、かつ、利便性が高いという利点がある。
【発明の開示】
【発明が解決しようとする課題】
【０００５】
しかしながら、上述した従来のマンション等の共同住宅では、当該マンションの住居者が鍵を使ってオートドアを開放し、あるいは、当該マンションに訪れた人がインターフォンを使って住居者と連絡し、当該住居者によるインターフォンの解錠ボタン操作による解錠指令によってオートドアが開放されたときに、当該マンションの居住者及び訪問者以外の第３者が、当該マンションの住居者あるいは訪問者と行動を共にすることにより、当該マンションの内部に侵入できてしまい、防犯上好ましくない状況があった。
【０００６】
また、上記従来のエレベータ装置によれば、カード式鍵を持っている者と同時に行動すれば、住居者がカード式鍵をエレベータの解錠装置に通して、一旦、エレベータ装置のサービスを受けられるようにすると、カード式鍵を持っていない者も自由にエレベータのサービスを受けられることになり、自由にマンション内の移動が可能になり、防犯上好ましくない状況があった。
【０００７】
この発明は、上述した不都合を解消し、各入居者が持つキーの情報を所定の位置に設置したキー読取装置で読み取り、当該読み取った情報を基にエレベータカゴを一連の運転パターンで運転することにより確実に防犯を可能にしたエレベータ運転制御システムを提供することを目的とする。
【課題を解決するための手段】
【０００８】
請求項１記載の発明では、マンション等の共同住宅の共同玄関に設けられたロビーインターフォンと、当該共同住宅の各住居に設けられ、解錠指令を出せる解錠操作ボタンを有し、前記ロビーインターフォンとの通話が可能な住宅用インターフォンと、前記ロビーインターフォンの近くに設けられた第１のキー読取装置と、前記第１のキー読取装置から読み取られたキー読取情報から解錠指令を出すことができるキー読取コントローラと、当該共同住宅の共同玄関から共同住宅内部の共同通路へ続く部分に設けられたオートドアと、前記キー読取コントローラあるいは住宅用インターフォンからの解錠指令により当該オートドアを一定時間開放させるドア制御装置と、を備えた共同住宅において、前記共同住宅には各階への搬送サービスを提供するエレベータ装置と、基準階のエレベータ乗り場操作盤内あるいはその近辺にある第２のキー読取装置と、前記第１のキー読取装置及び前記第２のキー読取装置と接続可能であり、キー情報を蓄積しているキー情報データベースと、を備え、前記キー読取コントローラは、前記第２のキー読取装置で読み取ったキー情報を取り込み、前記キー情報データベースに照合し、当該照合の結果により、決定された決定階へ運転するよう運転指令を出し、前記キー読取コントローラからの運転指令あるいは前記住宅用インターフォンからの解錠指令を基に、基準階でエレベータカゴのドアを開閉し、決定階あるいは解錠指令階へエレベータカゴを移動させ、決定階あるいは解錠指令階でエレベータカゴのドアを開閉し、さらにエレベータカゴを基準階に戻す一連の運転パターンで運転制御するエレベータ運転制御装置を備えたことを特徴とするエレベータ運転制御システムにより、前記目的を達成する。
【０００９】
請求項２記載の発明では、請求項１記載の発明において、前記エレベータ運転制御システムは、パニックオープン信号を受信している間は、一連の運転パターンによる運転制御を解除して通常のエレベータ動作をし、パニックオープン信号を受信しなくなると、再び、一連の運転パターンによる運転制御に戻るようになっていることを特徴とする。
請求項３記載の発明では、請求項１記載の発明において、前記エレベータ運転制御システムは、各階のエレベータ乗り場操作盤の下方呼びボタン及びエレベータカゴ内の操作盤の１階ボタンのみを受け付け、当該ボタンによるサービスを提供することを特徴とする。
【発明の効果】
【００１０】
この発明に係るエレベータ運転制御システムによれば、上述したように一連の運転パターンでエレベータカゴを運転制御するようになっているので、次のような効果がある。
（１）キー情報によりエレベータカゴを当該階のみに運行するので、仮に侵入者が住居者と行動を共にしても、他の階に行くことができないため、防犯上の効果が高い。
（２）訪問者がインターフォンを使って住居者と連絡し、解錠されてエレベータカゴが使用可能になっても、エレベータカゴは、当該住居者の階以外には運行されないため、防犯上の効果が高い。
（３）住居者はキーをキー読取装置にかざすだけで、自分の住居階までエレベータカゴが運行されるため、いちいち乗り場ボタンを押す必要がないため、利便性が高い。
【発明を実施するための最良の形態】
【００１１】
以下、この発明を実施するための最良の形態について図面を参照して説明する。
図１は、この発明を実施するための最良の形態に係るエレベータ運転制御システムを含む共同住宅システムを示す概略ブロック図である。
この図１において、この共同住宅システム１は、大別すると、いわゆるオートロック３と、この発明を実施するための最良の形態に係るエレベータ運転制御システムが適用されたエレベータ装置５とから構成されている。
さらに説明すると、いわゆるオートロック３は、マンションの共同玄関に設けられたロビーインターフォン３１と、当該マンションの各住居に設けられ、解錠指令を出せる解錠操作ボタンを有し、前記ロビーインターフォン３１との通話が可能な住宅用インターフォン３２と、前記ロビーインターフォン３１に設けられたキー読取装置３３と、前記キー読取装置３３から読み取られたキー読取情報から解錠指令を出すことができるキー読取コントローラ３４と、前記マンションの共同玄関から前記マンション内部の共同通路へ続く部分に設けられたオートドア３５と、前記キー読取コントローラ３４あるいは住宅用インターフォン３２からの解錠指令により当該オートドア３５を一定時間開放させるオートドア制御装置３６とからなる。
なお、ロビーインターフォン３１にはテレビカメラが内蔵されており、インターフォンが使用されると、当該テレビカメラで撮像された映像信号を住宅用インターフォン３２に送出できるようになっている。
【００１２】
また、住宅用インターフォン３２には、例えば液晶ディスプレイのような表示装置が設けられており、前記ロビーインターフォン３１によって呼び出しがされた際に、当該ロビーインターフォン３１に内蔵されたテレビカメラから送られてくる撮像信号を表示できるようになっている。
【００１３】
符号３７は宅配ロッカーであり、宅配ロッカー３７にはキー読取装置３８が設けられており、前記キー読取装置３８にキーの情報を読み取らせることにより、前記キー読取コントローラ３４の制御下に宅配ロッカー３７の使用ができるようになっている。
さらに、符号３９は階段出入口ドアであり、前記階段出入口ドア３９の近傍にはキー読取装置４０が設けられており、前記キー読取装置４０で読み取ったキー情報を取り込んだキー読取コントローラ３４の制御下に前記階段出入口ドア３９の電気錠３９ａを開錠することにより、前記階段出入口ドア３９を開放できるようになっている。
【００１４】
また、前記ロビーインターフォン３１及び前記住宅用インターフォン３２の通信線には警備室に設けられた警報監視盤４１が接続されており、前記警報監視盤４１は前記住宅用インターフォン３２からの解錠指令を読み取り、当該解錠指令（解錠指令及び解錠した階の情報）を抽出して送出できるようになっている。
また、住宅用インターフォン３２には、ドアホン子機３２ａが接続されており、住宅用インターフォン３２は分岐器３２ｂ、通信線を介してロビーインターフォン３１及び警報監視盤４１に接続されている。
【００１５】
さらに、前記マンションには、この発明を実施するための最良の形態に係るエレベータ運転制御システムが適用されたエレベータ装置５が設けられており、このエレベータ装置５によって各階への移動サービスを受けることができるようになっている。
前記エレベータ装置５において、符号５０は基準階（１階）のエレベータドアであり、このエレベータドア５０の図示右側には乗り場操作盤５１が設けられている。
さらに、このエレベータ装置５には、前記乗り場操作盤５１の下部にキー読取装置５２が設けられている。この乗り場操作盤５１の操作信号は、エレベータ運転制御装置５４にケーブルを介して接続されている。
前記キー読取装置５２は、キー読取コントローラ３４にケーブルを介して接続されている。また、前記エレベータ運転制御装置５４は、エレベータカゴを駆動する駆動装置（図示せず）を運転制御することができる。
【００１６】
このエレベータ装置５は、基準階（通常は１階）のエレベータ乗り場に設けられた乗り場操作盤５１の近辺に設けたキー読取装置５２と、前記キー読取装置５２で読み取ったキー情報を取り込み、予め格納しておいたキー情報データベースに照合し、当該照合の結果決定された決定階へ運転するよう運転指令を出せるキー読取コントローラ３４と、前記キー読取コントローラ３４からの運転指令あるいは前記住宅用インターフォン３２からの解錠指令（解錠指令及び解錠した階の情報）を警報監視盤４１を介して取り込み、基準階（１階）でエレベータドア５０のドアを開閉し、決定階あるいは解錠指令階へエレベータカゴを移動させ、決定階あるいは解錠指令階でエレベータカゴのエレベータドア５０ｎ（ｎは決定階あるいは解錠指令階）を開閉し、さらにエレベータカゴを基準階に戻す一連の運転を制御するエレベータ運転制御装置５４とから構成されている。
【００１７】
なお、前記キー読取コントローラ３４、前記警報監視盤４１、及び、エレベータ運転制御装置５４は、例えばコンピュータ装置を内蔵しており、当該コンピュータ装置に所定のプログラムを実行させることにより、必要な制御を可能にしている。
また、各住居者が所持するキーには所定の情報が電気的にあるいは機械的に記録されており、当該キーの情報をキー読取装置３３、３８、４０、５２で読み取って、キー読取コントローラ３４に与えることにより、キー読取コントローラ３４で解錠、その他の操作を行うための信号を形成している。また、前記エレベータ運転制御装置５４には、パニックオープン信号（ＰＯＳ）が受信できるようになっている。
【００１８】
上述したように構成されたこの発明を実施するための最良の形態に係るエレベータ運転制御システムの動作について図２ないし図４を参照して説明する。
（Ａ）居住者が帰宅したときの動作について。
図２は、この発明を実施するための最良の形態に係るエレベータ運転制御システムにおいて、居住者が帰宅したときの動作を説明するためのフローチャートである。
なお、エレベータカゴは、通常は、基準階（１階）に待機状態になっているものとする。
【００１９】
居住者は、共同玄関におけるロビーインターフォン３１に設けられたキー読取装置３３に所持するキー（具体的にはカードキー）をかざすことにより、当該キー読取装置３３でキーの情報が読み取られる。
このキー情報がキー読取コントローラ３４に与えられると、キー読取コントローラ３４は、データベースに参照して居住者か否か判定し、居住者と判定すると、オートドア制御装置３６にオートドア３５の開放指令を与える。これにより、居住者は、開放されたオートドア３５からマンション内部の１階共用部に入ることができる。
【００２０】
ついで、居住者は、１階のエレベータドア５０の前に立ち、エレベータドア５０の横にあるキー読取装置５２にキー情報を読み取らせる（ステップ２０１）。
このキー読取装置５２で読み取られたキー情報は、キー読取コントローラ３４に与えられる。
キー読取コントローラ３４では、読み取ったキー情報を、予め格納してあるデータベースに参照し、その参照した結果決定した階の情報をエレベータ運転制御装置５４に与える（ステップ２０２）。
【００２１】
次に、エレベータ運転制御装置５４は、まず、１階のエレベータドア５０を開放する（ステップ２０３）。これにより、居住者はエレベータカゴに乗り込み、エレベータ運転制御装置５４は、ドアセンサー等で居住者が乗り込んだことを確認し、かつ、一定時間が経過するとエレベータドア５０を閉じる（ステップ２０４）。
【００２２】
エレベータ運転制御装置５４は、エレベータドア５０を閉じると、決定階へエレベータカゴを移動させる（ステップ２０５）。
エレベータ運転制御装置５４は、エレベータカゴが目的階（決定階）に到着したことを確認すると、エレベータドア５０ｎを開放する（ステップ２０６）。居住者は、エレベータドア５０ｎが開放したので、エレベータカゴから外へ出る。
【００２３】
エレベータ運転制御装置５４は、エレベータカゴから居住者が出たことをドアセンサー等で確認し、かつ、一定時間経過すると、エレベータドアを閉じる（ステップ２０７）。
最後に、エレベータドア５０は、再び、１階にエレベータカゴを移動させて待機状態になる（ステップ２０８）。
【００２４】
なお、このエレベータ運転制御システムでエレベータ装置５が制御状態のときには、１階の乗り場操作盤５１も、他の階の乗り場操作盤もサービスカット状態（エレベータが使えない状態）になっている。ただし、他の階の乗り場操作盤は、下行きのみサービス可能になっている。
また、エレベータカゴ内の操作盤は、１階行きボタンのみが有効になっている。
また、このエレベータ運転制御システムによれば、住居者がエレベータ装置５を使用すると、再び、サービスカット状態になるようになっている。
【００２５】
さらに、このエレベータ運転制御システムによれば、住居者が持つキーによってエレベータドア５０が開放されても、一定時間以内に、エレベータカゴに乗り込まないと、再び、サービスカット状態に戻ってしまうようになっている。
加えて、このエレベータ運転制御システムによれば、キー情報によって決定階（目的階）にエレベータカゴを移動させるサービスを行うようになっているため、他の階へ行くことはできないように設定されている。
【００２６】
（Ｂ）居住者に訪問者があったときの動作について。
図３は、この発明を実施するための最良の形態に係るエレベータ運転制御システムにおいて、来訪者があったときの動作を説明するためのフローチャートである。
まず、共同玄関に設けたロビーインターフォン３１により、訪問先住居の住宅用インターフォン３２を介して居住者に連絡する（ステップ３０１）。
【００２７】
居住者は住宅用インターフォン３２の解錠操作ボタンを押下操作して（ステップ３０２）、解錠指令をオートドア３５のオートドア制御装置３６に出してオートドア３５を開放する。この解錠指令は、警報監視盤４１を介してエレベータ運転制御装置５４に与えられる。
前記エレベータ運転制御装置５４は、前記住宅用インターフォン３２からの解錠指令（解錠指令及び解錠した階の情報）を警報監視盤４１を介して取り込み、基準階（１階）でエレベータドア５０のドアを開放させる（ステップ３０３）。
【００２８】
これにより、訪問者はエレベータカゴに乗り込み、前記エレベータ運転制御装置５４は、ドアセンサー等により訪問者が乗り込んだことを確認し、かつ、一定時間経過すると、エレベータドア５０を閉じる（ステップ３０４）。
【００２９】
次に、前記エレベータ運転制御装置５４は、解錠指令（解錠指令及び解錠した階の情報）を受信しているので、当該階までエレベータカゴを移動させる（ステップ３０５）。前記エレベータ運転制御装置５４は、エレベータカゴが目的階（解錠した階）に到着したことを確認すると、エレベータドア５０ｎを開放する（ステップ３０６）。これにより、訪問者は、エレベータカゴから外へ出る。
【００３０】
前記エレベータ運転制御装置５４は、エレベータドア５０ｎのドアセンサーによって訪問者がエレベータカゴから外へ出たことを確認し、かつ、一定時間経過すると、エレベータドア５０ｎを閉じ（ステップ３０７）、１階までエレベータカゴを戻す動作を行う（ステップ３０８）。
なお、この訪問者における一連のエレベータサービスの場合も、上記エレベータ運転制御システムによってエレベータ装置５が制御状態のときには、１階の乗り場操作盤５１も、他の階の乗り場操作盤もサービスカット状態（エレベータが使えない状態）になっている。ただし、他の階の乗り場操作盤は、下行きのみサービス可能になっている。
また、エレベータカゴ内の操作盤は、１階行きボタンのみ有効になっている。
【００３１】
また、このエレベータ運転制御システムによってエレベータ装置５が制御状態のときには、訪問者がエレベータ装置５を利用した後は、再び、サービスカット状態になるようになっている。
さらに、このエレベータ運転制御システムによってエレベータ装置５が制御状態のときには、エレベータドア５０が開放されても、一定時間以内に、エレベータカゴ内に訪問者が乗り込まないと、再び、サービスカット状態に戻ってしまうようになっている。
加えて、このエレベータ運転制御システムによってエレベータ装置５が制御状態のときには、解錠指令によって解錠階（目的階）にエレベータカゴを移動させるサービスを行うようになっているため、他の階へ行くことはできないように設定されている。
【００３２】
（Ｃ）居住者及び訪問者が退出する場合の動作について。
図４は、この発明を実施するための最良の形態に係るエレベータ運転制御システムにおいて、居住者が出かけるとき、または、訪問者が退出するときの動作を説明するためのフローチャートである。
まず、住居階の乗り場操作盤の下方呼びボタンを押下すると（ステップ４０１）、この下方呼びボタンによる指令を受け取ったエレベータ運転制御装置５４は、エレベータカゴを下方呼びボタンが押された階に移動させ着床させた後に、エレベータドアを開放する（ステップ４０２）。
【００３３】
居住者及び訪問者がエレベータカゴ内に乗り込み、一定時間経過すると、エレベータ運転制御装置５４は、エレベータドアを閉じる（ステップ４０３）。
そして、エレベータ運転制御装置５４は、エレベータカゴ内の操作盤の１階ボタンが押下操作されると、これを検出して、エレベータカゴを１階に移動させる（ステップ４０４）。
【００３４】
次に、エレベータ運転制御装置５４は、エレベータカゴが１階に着床したことを検出すると、エレベータドア５０を開放する（ステップ４０５）。
これにより、居住者及び訪問者はエレベータカゴから外へ出る。前記エレベータ運転制御装置５４は、ドアセンサーにより居住者及び訪問者がエレベータカゴから出るのを検出し、一定時間経過すると、エレベータドアを閉じる（ステップ４０６）。
【００３５】
なお、この居住者が出かける、あるいは、訪問者が退出するという一連のエレベータサービスの場合も、上記エレベータ運転制御システムによってエレベータ装置５が制御状態のときには、１階の乗り場操作盤５１も、他の階の乗り場操作盤もサービスカット状態（エレベータが使えない状態）になっている。ただし、他の階の乗り場操作盤は、下行きのみサービス可能になっている。また、エレベータカゴ内の操作盤は、１階行きボタンのみ有効になっている。
【００３６】
また、このエレベータ運転制御システムによってエレベータ装置５が制御状態のときには、居住者及び訪問者がエレベータ装置５を利用した後は、再び、サービスカット状態になるようになっている。さらに、エレベータカゴに乗り込んだ後に、居室内に忘れ物をしたことに気がついた場合には、一旦、１階に降りて、一度エレベータカゴ外に出て、キー読取装置５２によりキー情報を読み取らせることによって、再び、上記（Ａ）居住者が帰宅したときの処理についての動作をさせる必要がある。
【００３７】
（Ｄ）その他の動作について。
上記エレベータ運転制御システムによってエレベータ装置５が制御状態のときには、居住者といえども、キーを所持していない場合には、エレベータの利用は不可能になっている。
火災などの緊急時には、警備室内にある自動火災報知盤から発報されたパニックオープン信号をエレベータ運転制御装置５４が受信し、該エレベータ運転制御装置５４は、サービスカット動作を解除するようになっている。従って、エレベータ装置５は、各階の乗り場操作盤による操作、エレベータカゴ内の操作盤による操作による運転を行うことができるようになるため、だれでも、エレベータを利用可能になり、消防活動に支障をきたさないようになっている。
【００３８】
また、前記パニックオープン信号が出されている間は、エレベータ運転制御装置５４は、サービスカット動作の解除状態を維持するが、前記パニックオープン信号が切れると、自動的にサービスカット状態（特定の条件以外にはエレベータサービスが受けられない状態）に戻るようになっている。
【００３９】
この発明を実施するための最良の形態に係るエレベータ運転制御システムによってエレベータ運転制御装置５４の動作が制御されてサービスカット状態に維持されているので、次のような効果がある。
（１）キー情報によりエレベータカゴを当該階のみに運行サービスするのみであるので、仮に侵入者が住居者と行動を共にしても、他の階に行くことができず、防犯上の効果が高い。
（２）訪問者がインターフォンを使って住居者と連絡し、解錠されてエレベータカゴが使用可能になっても、エレベータカゴは、当該住居者の階以外には運行されないため、防犯上の効果が高い。
（３）住居者はキーをキー読取装置にかざすだけで、自分の住居階までエレベータカゴが運行サービスされるため、いちいち乗り場ボタンを押す必要がなく、利便性が高い。
【図面の簡単な説明】
【００４０】
【図１】この発明を実施するための最良の形態に係るエレベータ運転制御システムを含む共同住宅システムを示す概略ブロック図である。
【図２】この発明を実施するための最良の形態に係るエレベータ運転制御システムにおいて、居住者が帰宅したときの動作を説明するためのフローチャートである。
【図３】この発明を実施するための最良の形態に係るエレベータ運転制御システムにおいて、来訪者があったときの動作を説明するためのフローチャートである。
【図４】この発明を実施するための最良の形態に係るエレベータ運転制御システムにおいて、居住者が出かけるとき、または、訪問者が退出するときの動作を説明するためのフローチャートである。
【符号の説明】
【００４１】
１    共同住宅システム
３    オートロック
５    エレベータ装置
３１  ロビーインターフォン
３２  住宅用インターフォン
３３，３８，４０，５２  キー読取装置
３４  キー読取コントローラ
３５  オートドア
３６  オートドア制御装置
３７  宅配ロッカー
３９  階段出入口ドア
４１  警報監視盤
５０  エレベータドア
５１  乗り場操作盤
５４  エレベータ運転制御装置
【図１】
2006160425.tif 000003
【図２】
2006160425.tif 000004
【図３】
2006160425.tif 000005
【図４】
2006160425.tif 000006